【事件の表示】
　特願２００７−　２６００５「窓装置」拒絶査定不服審判事件〔平成１９年　６月１４日出願公開、特開２００７−１４６６４８〕について、次のとおり審決する。
【結　論】
　本件審判の請求は、成り立たない。
【理　由】
１．手続の経緯・本願発明
　本願は，平成１０年８月６日に出願した特願平１０−２２３４３９号の一部を平成１９年２月５日に新たな特許出願としたものであって，平成２０年１２月１６日付けで拒絶査定がなされ，これに対し，平成２１年２月５日に拒絶査定に対する審判請求がなされるとともに，平成２１年３月６日付けで手続補正がなされた。
　その後，平成２２年６月４日付けで当審から拒絶理由を通知したところ，同年８月１１日付けで審判請求人から意見書及び手続補正書が提出された。
　
　本願の請求項１に係る発明は，平成２２年８月１１日付け手続補正書の特許請求の範囲の請求項１に記載された事項により特定される，以下のとおりのものである。
　
「【請求項１】
　障子と，この障子を，上昇，下降自在であって且つ水平軸の回りで回動自在に支持する支持機構と，障子を水平軸の回りで回動させて窓を開閉すると共に，窓の開放開始時及び閉鎖完了時に，障子を所定量だけ下降及び上昇させる窓開閉機構と，窓枠の縦枠に不動に固定された板部材，この板部材に形成された上下方向に伸びた被係合凹所，並びに，窓開閉機構による障子の所定量の上昇において障子回動をロックすべく窓の閉鎖完了時における障子の所定量の上昇において被係合凹所に配される一方，窓開閉機構による障子の所定量の下降において障子回動のロックを解除すべく窓の開放開始時における障子の所定量の下降において被係合凹所から抜け出るように，障子の側面に不動に固定された係合突出体を具備しているロック機構と，被係合凹所の開口端に形成されていると共に窓開閉機構による障子の所定量の上昇において係合突出体に接触して当該係合突出体を案内する案内面を具備していると共に当該案内面による係合突出体の案内によって障子を窓完全閉鎖位置に引き寄せる引き寄せ機構とを具備しており，係合突出体は，窓開閉機構による障子の所定量の上昇において案内面に案内される際に当該案内面に接触する回転自在なローラを具備している窓装置。」（以下，「本願発明」という。）
　
　２．刊行物及びその記載内容　
　刊行物１　実願平５−７５０９７号（実開平７−４０９７０号）のＣＤ−ＲＯＭ
　刊行物２　特開平９−２２１９５７号公報
　
　（１）平成２２年６月４日付け拒絶理由通知書にて通知され，本願優先日前に頒布された上記刊行物１には，図面とともに，以下の記載がある。
　(1a)「【０００１】 
　【産業上の利用分野】 
　本考案は上下動しながら回転するすベり出し式窓に使用される窓障子用控え装置に関するものである。 
　　【０００２】
　【従来の技術】
　従来窓障子が上下動しながら横軸まわりに回転するすベり出し式窓において，その窓障子の控え装置として，窓障子の両側面の上端に固着されたヒンジア−ムを上下動可能な駆動杆に横方向の第１枢軸で枢着し，窓障子を開状態に支える支持ア−ムの一端をヒンジア−ムに横方向の第２枢軸で枢着し，他端を窓の縦枠に横方向の第３枢軸で枢着したものが知られている。この装置はハンドルで駆動杆を上下させると，障子は第１枢軸を介して駆動杆で上下されると共に支持ア−ムで第１枢軸の回りに回転される。窓障子は閉位置の近くではほとんど上方または下方へのみ運動する。 
　　【０００３】
　この種の窓障子として，さらに実公平４−２７９７９号公報に示すように，障子の下部と窓の縦枠との間に引き寄せを兼ねるロック手段を設けて，窓障子をその開閉運動に従って自動的にロックしたり，ロックを解除したりするものが知られている。 
 ・・・ 
　　【０００６】
　本考案は，従来のロック手段のタイミング上の欠点を解消して，ロックピンとロックプレ−トのロック手段のロックとロック解除のタイミングを合わせることがきわめて容易であり，しかもその構成が簡略化されて，設計，製作，組立等が容易であるものを提供するものである。」 
 　(1b)「【０００９】
　窓障子（１），（２）を開閉する縦方向の一対の駆動杆（４）は・・・上下動可能に組み立てられ，ウオ−ム歯車機構（５）を介してハンドル（６）で上下動される。 
　　【００１０】
　上方の窓障子（１）はその両側の上端にヒンジア−ム（７）がその固着部（８）にて固着され，この固着部（８）からの上方への延出部（９）が横方向の枢軸(10)（第１枢着点）で駆動杆（４）の上端に枢着されている。
　　【００１１】
　支持ア−ム(11)は，その一端が取付座(12)に横方向の枢軸(13)（第２枢着点）で枢着され，他端がヒンジア−ム（７）の固着部（８）に連結手段(14)（第３枢着点）で枢着され，取付座(12)は窓の縦枠（３）に固着されている。
　　【００１２】 
　駆動杆（４）が最上昇位置に存するときには（図２，図３），窓障子（１）は完全に閉じられており，駆動杆（４）が最上昇位置から下降すると，窓障子（１）はヒンジア−ム（７）と支持ア−ム(11)で枢軸(10)まわりに開方向に回転しながら下降する。窓障子（１）が所定の最大開き角度に達すると（図１，図３），ヒンジア−ム（７）と一体のストッパ−(15)が支持ア−ム(11)に突き当って，窓障子（１）をその角度にて停止させる。駆動杆（４）が下降位置から逆に上昇すると，窓障子（１）はヒンジア−ム（７）と支持ア−ム(11)を介して枢軸(10)まわりに閉方向に回転しながら上昇して閉位置に復帰する（図２，図３）。この際，上方の窓障子（１）の両側面の下部は，窓障子（１）の閉運動に従って，ロック手段(16)で自動的にロックされ，窓障子（１）が開かれるときそのロックが自 
 動的に解除される。
　　【００１３】 
　上記ロック手段(16)は，ロックピン(17)とロックプレ−ト(18)で構成され，ロックピン(17)は窓障子（１）の側面の縦框(19)（図７）に固着される取付座(20)に横方向に起立され，ロックプレ−ト(18)は窓の縦枠（３）に固着される取付座(21)に横方向のピン(22)で枢着されている。
　　【００１４】
　ロックプレ−ト(18)は，その下辺に開口する直線状のロック孔(23)を有し，該ロック孔(23)は，ロックプレ−ト(18)がロック位置に存するとき縦方向に向き，逆にロック解除位置に存するときには斜めに向いている。 
　　【００１５】 
　図２において，窓障子（１）が完全に閉じられていると，ロックピン(17)はロックプレ−ト(18)のロック孔(23)に嵌合してロックプレ−ト(18)をその重力に抗して実線で示すロック位置に保持し（図３），同時に取付座(20)のストッパ−(24)がロックプレ−ト(18)の下辺を支えている。これにより，ロックピン(17)はロックプレ−ト(18)でロックされ，その結果窓障子（１）の下端はロックされる。このロック手段(16)は窓障子に対するロック機能の他に引き寄せ機能をも奏することができるので，・・・」 
　(1c)「【００１７】
 　窓障子（１）が，駆動杆（４）の上昇に従って，閉じる方向に回転すると，ロックピン(17)はロックプレ−ト(18)のロック孔(23)の右辺(27)に当って，ロックプレ−トをピン(22)のまわりに反時計方向に回転させる。窓障子（１）がその閉位置に達すると，ロックプレ−ト(18)のロック孔(23)は縦方向に向き，取付座(20)のストッパ−(24)がロックプレ−ト(18)の下辺の下方の位置に達する。窓障子（１）は，その閉位置にては，駆動杆（４）が上昇しても，回転せずに完全な閉位置まで引き上げられる。その結果ロックピン(17)がロック孔(23)に沿って上昇して，このロック孔内に嵌合する。このようにして，窓障子（１）の下端も自動的にロックされる。この際，取付座(20)のストッパ−(24)もロックプレ−ト(18)の下辺を支える（図３）。
　　【００１８】
　窓障子（１）を開くために，駆動杆（４）を下降させると，窓障子（１）は回転せずに降下して，ロックピン(17)をロック孔(23)の右辺(27)には係合しているが左辺(28)からはずれた位置まで下降させる。次いで，窓障子（１）は開方向に回転しながら，ロックピン(17)をロックプレ−ト(18)から遠ざける。これにより，ロックピン(17)とロックプレ−ト(18)によるロックが自動的に解除される。」 
　(1d)「【００２４】 
　前記ヒンジア−ム（７）と支持ア−ム(11)の連結手段(14)は，特に図６に示すように，拡大円孔(38)とこの孔に連通する細幅な直線孔(39)で形成された連結孔(40)と，回転中心に対して対称的に配置されて拡大円孔(38)の内周面に沿って回転する円弧状の両外周端面(41)とこれらの両外周端面を平らな面で互いに細幅の平行な関係に結んで直線孔(39)内に嵌合される一対の側面(42)で形成されたほぼ長方形の横断面形状の連結ピン(43)で構成されている。連結孔(40)はヒンジア−ム（７）に穿設され，連結ピン(43)は支持ア−ム(11)に横方向に起立され，連結孔(40)の直線孔(39)と連結ピン(43)の両外周端面(41)を結ぶ中心線と，連結ピンの側面(42)の各方向は，窓障子（１）が閉位置に存するときに，縦方向の向きを取るように配置されている。 
　【００２５】 
　窓障子（１）が完全に閉じられているときには（図３），連結ピン(43)はその側面(42)が連結孔(40)の直線孔(39)に嵌合して，ヒンジア−ム（７）と支持ア−ム(11)を相対的に回転できないようにロックしている。この際，窓障子（１）を開こうとしても，ヒンジア−ム（７）と支持ア−ム(11)は枢軸(10)，(13)まわりに回転することができず，窓障子（１）は閉位置でロックされ，このロック状態が保持される。この連結孔(40)と連結ピン(43)による連結手段(16)も，窓障子（１）に対するロック機構の他に引寄せ機能をも果すことができるので，窓障子（１）がロックされた状態において窓障子（１）と窓枠の間の気密手段が働くようにその気密手段の位置を定めれば，窓障子（１）はロックされると同時に気密性も得られる。 
　　【００２６】 
　窓障子（１）が開いているときには（図３），連結ピン(43)は，その外周端面(41)が拡大円孔(38)の内周面に沿って回転できるように，拡大円孔内に嵌合して，本来の枢軸と同様の働きをする。」 
　(1e)「 【００３９】 
 　駆動杆（４）を上下動させる手段は，特に図４に示されているように，手動ハンドル（６）と，該ハンドルの軸と一体的に回転するウオ−ム（図示略）と，該ウオ−ムにかみ合うウオ−ム歯車(50)で構成されたウオ−ム歯車機構（５）と，ウオ−ム歯車(50)と一体に回転する動作ア−ム(51)と，該動作ア−ムにピン(52)で枢着された伝動杆(53)と，該伝動杆にピン(54)で枢着されたクランクア−ム(55)と，該クランクア−ムが一体に回転するように固着されて窓の一方の縦枠（３）から他方の縦枠（図示略）まで延びる伝動軸(56)と，上記クランクア−ム(55)に共通のピン(54)で枢着された一端と駆動杆（４）にピン(57)で枢着された他端を有する伝動杆(58)で構成されている。 
　　【００４０】
　ハンドル（６）を右にまわすと，ウオ−ム歯車(50)が動作ア−ム(51)と一体に軸(62)まわりに反時計方向に回転し，クランクア−ム(55)も伝動杆(53)を介して同方向に回転する。クランクア−ム(55)はさらに伝動杆(58)を介して駆動杆（４）を下降させ上下の窓障子（１），（２）を開く。その状態にて，ハンドル（６）を左にまわすと，ハンドルと駆動杆（４）の間の大部分は逆方向に動作して，駆動杆を上昇させて，上下の窓障子を閉じる。」　
　(1f)(1b)の「このロック手段(16)は窓障子に対するロック機能の他に引き寄せ機能をも奏することができる」との記載及び【図５】によれば，刊行物１には，「ピン(22)がロック孔(23)の内面に係合して，ピン(22)のロック孔内面による案内によって障子を窓完全閉鎖位置に引き寄せる引き寄せ機構」が開示されている。　 
 　 
　上述の記載事項(1a)〜(1f)及び図面の記載から見て，刊行物１には，以下の発明が記載されているものと認められる。（以下，「刊行物１記載の発明」という。） 
 　
　「窓障子（１），（２）と，一端が窓の縦枠（３）に枢着され，他端が窓障子に固着されたヒンジア−ム（７）と連結手段(14)によって連結される支持ア−ム(11)であって，連結手段(14)は，拡大円孔(38)とこの孔に連通する細幅な直線孔(39)で形成された連結孔(40)と，回転中心に対して対称的に配置されて拡大円孔(38)の内周面に沿って回転する円弧状の両外周端面(41)とこれらの両外周端面を平らな面で互いに細幅の平行な関係に結んで直線孔(39)内に嵌合される一対の側面(42)で形成されたほぼ長方形の横断面形状の連結ピン(43)で構成され，連結孔(40)はヒンジア−ム（７）に穿設され，連結ピン(43)は支持ア−ム(11)に横方向に起立され，連結孔(40)の直線孔(39)と連結ピン(43)の両外周端面(41)を結ぶ中心線と，連結ピンの側面(42)の各方向は，窓障子（１）が閉位置に存するときに，縦方向の向きを取るように配置されたものである支持ア−ム(11)と， 
　窓障子（１），（２）を開閉するためにウオ−ム歯車機構（５）を介してハンドル（６）で上下動される縦方向の一対の駆動杆（４）と，窓の縦枠（３）に枢着されるロックプレ−ト(18)であってその下辺に開口する直線状のロック孔(23)を有するロックプレ−ト(18)と窓障子（１）の側面の縦框(19)に横方向に起立されるロックピン(17)で構成されるロック手段であって，ロックピン(17)は，窓障子（１）が駆動杆（４）の上昇に従って閉じる方向に回転すると，ロックプレ−ト(18)のロック孔(23)の右辺(27)に当ってロックプレ−トをピン(22)のまわりに反時計方向に回転させ，窓障子（１）がその閉位置に達して駆動杆（４）が上昇しても回転せずに完全な閉位置まで引き上げられる際には，反時計方向の回転により縦方向に向いたロックプレ−ト(18)のロック孔(23)に沿って上昇してこのロック孔内に嵌合し，また，窓障子（１）を開く際，駆動杆（４）の下降により窓障子（１）が回転せずに降下すると，ロック孔(23)の右辺(27)には係合しているが左辺(28)からはずれた位置まで下降し，次いで，窓障子（１）が開方向に回転することによりロックプレ−ト(18)から遠ざけられるものであり，ロック孔(23)に形成されているとともに窓開閉機構による障子の上昇においてロックピン(17)に接触してロックピン(17)を案内する案内面を具備しているとともに当該案内面によるロックピン(17)の案内によって窓障子（１）を完全な閉位置に引き寄せる引き寄せ機構を具備しているすベり出し式窓。」
　
　（２）同じく上記刊行物２には，図面とともに，以下の記載がある。
　(2a)「【００１５】上方窓障子（１）用の引寄せ手段は，フック状の引寄せ部材(22)が駆動杆（５）に固着され，この引寄せ部材とかみ合う受け部材(23)が窓障子（１）の縦框（４）（図11）の下部に固着されている（図２）。引寄せ部材(22)は，駆動杆（５）の上昇に従って，受け部材(23)にかみ合い（図２），駆動杆（５）の下降に従って，受け部材(23)から外れる（図３）。
【００１６】窓障子（１）が完全に閉じられているときには（図２），駆動杆（５）はその最上昇位置をとって，・・・この際，引寄せ部材(22)は，受け部材(23)にかみ合って，窓障子（１）の下部を引き寄せている（図２）。 
【００１７】駆動杆（５）をその最上昇位置（図２）から下降させると，・・・その間引寄せ部材(22)は受け部材(23)から外れて，窓障子（１）に対する引寄せが解除される（図３）。」 
　(2b)「【００２２】駆動杆（５）を図４の状態から図３の状態までさらに押し上げると，・・・この状態においては，窓障子（１）は完全に閉じられているが，引寄せ部材(22)は受け部材(23)に未だかみ合っていない。 
【００２３】駆動杆（５）を図３の状態からさらに上昇させると，・・・これにより，引寄せ部材(22)が受け部材(23)にかみ合って，窓障子（１）の下部を窓枠（３）側に引き寄せ（図２），気密片で気密にする。」 
　(2c)「【００３６】上方障子（１）用の引寄せ手段としての引寄せ部材(22)と受け部材(23)及び下方障子（２）用の引寄せ手段としての引寄せ部材のピン(38)と受け部材(39)は，いずれもロック機能をも有し，ロック手段としても使用できるものである。尚上記ピン(38)は受け部材(39)との係合離脱を円滑にするために，リング(67)（図７）が嵌合されている。
　(2d)【図３】には，引寄せ部材(22)の被係合凹所の開口端にロック溝へ向かう傾斜面が形成され，該傾斜面は，駆動杆（５）をさらに上昇させれば受け部材(23)に接触し，受け部材を(23)ロック溝側へ導く位置に設けられていることが示されている。 
　
　３．対比 
　そこで，本願発明と刊行物１記載の発明とを対比する。 
　
　刊行物１記載の発明の「窓障子（１），（２）」，「すベり出し式窓」は，それぞれ，本願発明の「障子」，「窓装置」に相当する。 
　刊行物１記載の発明の「窓の縦枠（３）及び支持ア−ム(11)」は，障子を，上下，昇降自在であって且つ回動自在に支持するものであるから，本願発明の「支持機構」に相当する。 
　刊行物１記載の発明の「駆動杆（４）及び駆動杆（４）を上下動させる手段」は，障子を水平軸の回りで回動させて窓を開閉すると共に，窓の開放開始時及び閉鎖完了時に，障子を所定量だけ下降及び上昇させるものであるから，本願発明の「窓開閉機構」に相当する。 
　刊行物１記載の発明の「完全な閉位置」は，本願発明の「窓完全閉鎖位置」に相当する。
　刊行物１記載の発明の「ロックプレ−ト(18)」と本願発明の「板部材」とは，縦枠に固定された形成された「ロック部材」である点で共通し，刊行物１記載の発明の「ロック孔(23)」と本願発明の「被係合凹所」とは，ロック部材（ロックプレ−ト(18)，板部材）に形成された「ロック溝」である点で共通し，刊行物１記載の発明の「ロックピン(17)」と本願発明の「係合突出体」とは，障子が窓完全閉鎖位置（完全な閉位置）をとるべく昇降動する際にロック溝（ロック孔(23)，被係合凹所）に係脱するように障子側面に不動に固定された「係合体」である点で共通する。
　刊行物１記載の発明の「ロック手段」と本願発明の「ロック機構」とは，引き寄せ機能をも奏する「ロック装置」であって，窓枠の縦枠及び障子（窓障子）の側面に取り付けられるロック部材（ロックプレ−ト(18)，板部材），ロック溝（ロック孔(23)，被係合凹所）及び係合体（ロックピン(17)，係合突出体）を具備するものである点で共通する。 
　刊行物１記載の発明の「引き寄せ機構」と本願発明の「引き寄せ機構」とは，ロック装置（ロック手段，ロック機構）と同じ部材を用いて構成されるものであり，ロック溝（ロック孔(23)，被係合凹所）に形成されていると共に窓開閉機構による障子の上昇において係合体（ロックピン(17)，係合突出体）に接触して係合体（ロックピン(17)，係合突出体）を案内する案内面を具備していると共に当該案内面による係合体（ロックピン(17)，係合突出体）の案内によって障子（窓障子）を完全な閉位置に引き寄せるものである点で共通する。
　
　よって，本願発明と刊行物１記載の発明とは， 
　「障子と，この障子を，上昇，下降自在であって且つ水平軸の回りで回動自在に支持する支持機構と，障子を水平軸の回りで回動させて窓を開閉すると共に，窓の開放開始時及び閉鎖完了時に，障子を所定量だけ下降及び上昇させる窓開閉機構と，窓枠の縦枠に固定されたロック部材，このロック部材に形成された上下方向に伸びたロック溝，並びに，窓開閉機構による障子の所定量の上昇において障子回動をロックすべく窓の閉鎖完了時における障子の所定量の上昇においてロック溝に配される一方，窓開閉機構による障子の所定量の下降において障子回動のロックを解除すべく窓の開放開始時における障子の所定量の下降においてロック溝から抜け出るように，障子の側面に不動に固定された係合体を具備しているロック装置と，ロック溝に形成されていると共に窓開閉機構による障子の所定量の上昇において係合体に接触して当該係合体を案内する案内面を具備していると共に当該案内面による係合体の案内によって障子を窓完全閉鎖位置に引き寄せる引き寄せ機構とを具備している窓装置。」である点で一致し，次の点で相違する。 
　
　相違点１ 
　ロック部材が，本願発明では，窓枠の縦枠に対して「不動に」固定されているのに対し，刊行物１記載の発明は，窓枠の縦枠に対して「回動」するように固定されるものであり，ロック溝が，本願発明では，窓枠の縦枠に不動に固定されたロック部材に形成された「上下方向に伸びた」溝であるのに対し，刊行物１記載の発明では，ロックのために障子を昇降する際には上下方向（縦方向）に伸びた溝となっているものの，回動するロック部材に設けられるため，常に上下方向に伸びたものではない点。
　
　相違点２ 
　引き寄せ機構が，本願発明では，案内面が不動のロック部材のロック溝の「開口端」に形成されており，窓開閉機構による障子の所定量の上昇において係合体に接触して当該係合体を案内するように構成されているのに対し，刊行物１記載の発明では，引き寄せ機構がこのような構成となっていない点。 
　
　相違点３ 
　係合体が，本願発明では，引き寄せ機構の案内面に接触する「回転自在なローラ」を具備するのに対し，刊行物１記載の発明では，このような回転自在なローラを具備することが開示されていない点。 
　
　４．判断 
　上記相違点について検討する。 
　
　（１）相違点１について 
　上記刊行物２には，ロック機能を有する引き寄せ機構を構成する，上下方向に伸びたロック溝が形成されたロック部材（引寄せ部材(22)）と係合体（受け部材(23)）とを，相対的に上下動する２部材（駆動杆（５）及び窓障子（１）の縦框（４））にそれぞれ不動に固定し，一方の部材（駆動杆（５））の所定量の上昇，下降においてロック部材（引寄せ部材(22)）と係合体（受け部材(23)）とを係脱させて引き寄せ及びロックを行う技術が記載されている。
　
　刊行物２記載の技術によれば，ロック機能を有する引き寄せ機構を構成するロック部材と係合体とを，相対的に上下動する２部材にそれぞれ不動に固定することにより，回動する部材なしにロック機能を有する引き寄せ機構を構成することが可能である。
　そして，刊行物１には，ロック手段の構成を簡略化して設計，製作，組立等を容易にするという課題が記載されている（記載事項(1a)）。ロック機能を有する引き寄せ機構として，回動する刊行物１記載のものよりも回動しない刊行物２のものの方が簡略化されていて製作，組立等を容易にし得るものであるから，構成の簡素化等の課題を解決するために，刊行物１記載の発明において，刊行物２記載の上記技術を採用することは，当業者が容易に想到し得ることである。
　
　そして，刊行物１記載の発明は，窓枠にロック部材（ロックプレート１８）が設けられるものであり，窓の閉鎖完了時及び開放開始時に障子と窓枠とが所定量移動するものであるから，刊行物１記載のロック機能を有する引き寄せ機構に刊行物２記載の上記技術を採用する際に，窓枠に設けられたロック部材と障子に設けられた係合体（ロックピン１７）とが窓の閉鎖完了時及び開放開始時に障子と窓枠との所定量の移動に伴って引き寄せ，ロックとその解除をし得るよう，ロック部材を「窓枠の縦枠に対して不動に」設けることは，当業者が容易になし得ることである。
　
　したがって，刊行物１記載の発明において，刊行物２記載の技術を採用し，ロック部材を窓枠の縦枠に対して「不動に」固定するとともに，ロック溝を不動に固定されたロック部材に形成された「上下方向に伸びた」ものとして相違点１に係る本願発明の構成とすることは，当業者が容易になし得ることである。
　
　審判請求人は，平成２２年８月１１日付け意見書にて，「窓枠の縦枠に不動に固定された板部材」は刊行物１，２に記載されておらず，新規である旨，及び，刊行物２には，引き寄せ部材が、窓の縦枠に組み込まれてその縦方向に沿って上下動する縦長の駆動杆に固定される技術が記載されているだけであり、斯かる技術では駆動杆と縦枠との相互間に揺動が生じ得るために窓障子を完全に閉じた状態にし難いものであり，刊行物２記載の技術を刊行物１に採用し得たとしても、本願発明の「窓枠の縦枠に不動に固定された板部材」という事項を想到し得えない旨，主張する。
　
　上記主張について検討する。　
　上述のように，窓装置の引き寄せ兼ロック手段のロック部材を「窓枠の縦枠に不動に固定された板部材」とすることは，刊行物１，２に接した当業者にとって容易になし得ると認められるから，「窓枠の縦枠に不動に固定された板部材」が刊行物１，２に記載されておらず新規であることをもって，本願発明の相違点１に係る構成が刊行物１及び２から容易に発明できないということはできない。
　
　また，刊行物２記載の技術として認定しているのは，あくまで，「ロック機能を有する引き寄せ機構を構成する，上下方向に伸びたロック溝が形成されたロック部材と係合体とを，相対的に上下動する２部材にそれぞれ不動に固定し，一方の部材の所定量の上昇，下降においてロック部材と係合体とを係脱させて引き寄せ及びロックを行う技術」であり，刊行物２記載の発明として窓の閉鎖完了時及び開放開始時に駆動杆と障子とが相対移動する窓装置を引用したものではないから，「駆動杆と縦枠との相互間に揺動が生じ得るために窓障子を完全に閉じた状態にし難い」ことをもって，本願発明を刊行物１，２から想到するのが容易でないという主張は失当である。
　
　そして，可動部材が存在しない分，閉鎖状態を確実にし得るという効果は，刊行物１，２記載の発明から当業者が予測し得る程度のものである。
　
　したがって，出願人の上記主張は採用できない。
　
　（２）相違点２について 
　上記刊行物２には，ロック溝の開口端に傾斜面を形成し，該傾斜面を，一方の部材（駆動杆（５））の所定量の上昇においてロック溝へ係合する係合体（受け部材(23)）に接触して当該係合体（受け部材(23)）をロック溝側へ導く位置に配置することが示されており（記載事項(2d)），記載事項(2b)も考慮すれば，上記刊行物２記載の傾斜面は，一方の部材（駆動杆（５））の所定量の上昇において係合体（受け部材(23)）に接触して当該係合体（受け部材(23)）をロック溝側へ導く案内面の機能を果たしているものと認められる。 
 　刊行物１記載の発明において，刊行物２記載の発明を採用して，ロック部材を窓枠の縦枠に対して「不動に」固定するとともにロック溝を不動に固定されたロック部材に形成された「上下方向に伸びた」ものとする際に，さらに，刊行物２記載の「ロック溝の開口端に案内面(傾斜面）を形成する」構成をも採用し，引き寄せ機構を，不動のロック部材のロック溝の開口端に形成された案内面が，窓開閉機構による障子の所定量の上昇において係合体に接触して当該係合体を案内するように構成して相違点２に係る本願発明の構成とすることは，当業者が容易になし得ることである。 
 　 
 （３）相違点３について 
 　移動案内を滑らかにするために接触して移動する部材にローラを設けることは，例を挙げるまでもなく周知の技術であるから，係合体の案内面に接触する部分に「回転自在なローラ」を設けることは，当業者が適宜なし得る設計事項に過ぎない。 
 　 
 （４）効果について 
 　本願発明の作用効果は，刊行物１，２に記載された発明及び上記周知技術から当業者が予測できる程度のものである。 
　
　５．むすび
　以上のとおり，本願発明は，刊行物１，２記載の発明及び上記周知技術に基づいて，当業者が容易に発明をすることができたものであるから，特許法第２９条第２項の規定により特許を受けることができないものであり，本願の他の請求項について検討するまでもなく，本願は拒絶をすべきものである。
　　　
　よって，結論のとおり審決する。